(57)【要約】【課題】無線通信品質を向上させる。【解決手段】複数の無線アクセスネットワークを利用可能な発信側通信装置と、複数の無線アクセスネットワークのうち少なくとも１つを利用可能な着信側通信装置と、を含む通信システムにおいて、発信側通信装置が、複数の無線アクセスネットワークのうちの第１の無線アクセスネットワークを、通信に利用する無線アクセスネットワークに設定し、第１の無線アクセスネットワークを、通信に利用する無線アクセスネットワークとして、着信側通信装置に通知し、着信側通信装置が、発信側通信装置からの第１の無線アクセスネットワークの通知を受信し、利用する無線アクセスネットワークの設定を第１の無線アクセスネットワークに切り替え可能か否かを判定し、第１の無線アクセスネットワークへ切替可能な場合に、利用する無線アクセスネットワークの設定を第１の無線アクセスネットワークに切り替える。【選択図】図１
2014183377.tif 000002
【特許請求の範囲】
【請求項１】
複数の無線アクセスネットワークを利用可能な発信側通信装置と、前記複数の無線アクセスネットワークのうち少なくとも１つを利用可能な着信側通信装置と、を含む通信システムであって、
前記発信側通信装置は、記憶装置とプロセッサとを備え、
前記プロセッサが、
前記複数の無線アクセスネットワークのうちの第１の無線アクセスネットワークを、通信に利用する無線アクセスネットワークに設定し、
前記第１の無線アクセスネットワークを、前記通信に利用する無線アクセスネットワークとして、前記着信側通信装置に通知し、
前記着信側通信装置は、記憶装置とプロセッサとを備え、
前記プロセッサが、
前記発信側通信装置からの前記第１の無線アクセスネットワークの通知を受信し、
前記着信側通信装置が利用する無線アクセスネットワークの設定を前記第１の無線アクセスネットワークに切り替え可能か否かを判定し、
前記第１の無線アクセスネットワークへ切替可能な場合に、前記着信側通信装置が利用する無線アクセスネットワークの設定を前記第１の無線アクセスネットワークに切り替える、
通信システム。
【請求項２】
前記着信側通信装置の前記プロセッサは、
前記第１の無線アクセスネットワークへの切替結果を前記発信側通信装置に通知する、請求項１に記載の通信システム。
【請求項３】
前記発信側通信装置の前記プロセッサは、
前記着信側通信装置から通知された前記切替結果を受信し、
前記切替結果が、前記第１の無線アクセスネットワークへの切替成功を示す場合に、前記着信側通信装置に対する発信要求を送信する、
請求項２に記載の通信システム。
【請求項４】
前記着信側通信装置の前記プロセッサは、
前記第１の無線アクセスネットワークへ切替不可である場合に、前記切替結果として、前記第１の無線アクセスネットワークへの切替不可と、前記着信側通信装置が通信に利用し、前記第１の無線アクセスネットワークとは異なる、第２の無線アクセスネットワークとを通知し、
前記発信側通信装置の前記プロセッサは、
前記切替結果が、前記第１の無線アクセスネットワークへの切替不可を示す場合に、通信に利用する無線アクセスネットワークの設定を前記切替結果によって通知される前記第２の無線アクセスネットワークに切り替える、
請求項３に記載の通信システム。
【請求項５】
複数の無線アクセスネットワークを利用可能な通信装置であって、
記憶装置とプロセッサとを備え、
前記プロセッサが、
前記複数の無線アクセスネットワークのうちの第１の無線アクセスネットワークを、通信に利用する無線アクセスネットワークに設定し、
前記第１の無線アクセスネットワークを、前記第１の無線アクセスネットワークとして、通信相手の通信装置に通知する、
通信装置。
【請求項６】
１又は複数の無線アクセスネットワークを利用可能な通信装置であって、
記憶装置とプロセッサとを備え、
前記プロセッサが、
通信相手の通信装置から、該通信相手の通信装置が通信に利用する第１の無線アクセスネットワークの通知を受信し、
利用する無線アクセスネットワークの設定を前記第１の無線アクセスネットワークに切り替え可能か否かを判定し、
前記第１の無線アクセスネットワークへ切替可能な場合に、利用する無線アクセスネットワークの設定を前記第１の無線アクセスネットワークに切り替える、
通信装置。
【請求項７】
複数の無線アクセスネットワークを利用可能な発信側通信装置と、前記複数の無線アクセスネットワークのうち少なくとも１つを利用可能な着信側通信装置と、を含む通信システムにおいて、
前記発信側通信装置が、
前記複数の無線アクセスネットワークのうちの第１の無線アクセスネットワークを、通信に利用する無線アクセスネットワークに設定し、
前記第１の無線アクセスネットワークを、前記通信に利用する無線アクセスネットワークとして、前記着信側通信装置に通知し、
前記着信側通信装置が、
前記発信側通信装置からの前記第１の無線アクセスネットワークの通知を受信し、
前記着信側通信装置が利用する無線アクセスネットワークの設定を前記第１の無線アクセスネットワークに切り替え可能か否かを判定し、
前記第１の無線アクセスネットワークへ切替可能な場合に、前記着信側通信装置が利用する無線アクセスネットワークの設定を前記第１の無線アクセスネットワークに切り替える、
通信方法。
【請求項８】
複数の無線アクセスネットワークを利用可能な発信側通信装置と、前記複数の無線アクセスネットワークのうち少なくとも１つを利用可能な着信側通信装置と、を含む通信システムにおいて、
前記発信側通信装置に、
前記複数の無線アクセスネットワークのうちの第１の無線アクセスネットワークを、通信に利用する無線アクセスネットワークに設定させ、
前記第１の無線アクセスネットワークを、前記通信に利用する無線アクセスネットワークとして、前記着信側通信装置に通知させ、
前記着信側通信装置に、
前記発信側通信装置からの前記第１の無線アクセスネットワークの通知を受信させ、
前記着信側通信装置が利用する無線アクセスネットワークの設定を前記第１の無線アクセスネットワークに切り替え可能か否かを判定させ、
前記第１の無線アクセスネットワークへ切替可能な場合に、前記着信側通信装置が利用する無線アクセスネットワークの設定を前記第１の無線アクセスネットワークに切り替えさせる、
ための通信プログラム。
【発明の詳細な説明】
【技術分野】
【０００１】
本発明は、通信システム、通信装置，通信方法，及び通信プログラムに関する。
【背景技術】
【０００２】
複数の事業者網や無線アクセスネットワークを利用可能な移動端末がある。このような移動端末のユーザは、接続を所望する事業者網や無線アクセスネットワークを自動又は手動で選択することができる。無線アクセスネットワークには、例えば、ＬＴＥ（Long Term Evolution），３Ｇ（第３世代移動通信システム：3rd Generation），２Ｇ（第２世代
移動通信システム：2nd Generation），ＷｉＭＡＸ(Worldwide Interoperability for Microwave Access)等がある。
【０００３】
一方、ＬＴＥサービスでは、サービスの多様化に伴い、端末同士が直接通信を行うエンドツーエンド型サービスが多くなることが予想される。エンドツーエンド型サービスには、例えば、ＩＭＳ（IP Multimedia Subsystem）を用いた音声のＩＰ化（ＶｏＬＴＥ：Voice over LTE）や、音声通信中のファイルや動画等のマルチメディア情報の共有等がある
。
【先行技術文献】
【特許文献】
【０００４】
【特許文献１】特開２００５−６４８７７号公報
【発明の概要】
【発明が解決しようとする課題】
【０００５】
しかしながら、通信を行う２台の移動端末それぞれにおいて、サービス内容に適した無線アクセスネットワークが選択されていない場合には、端末間の通信品質を確保できず、エンドツーエンド型サービスを享受することができない可能性がある。
【０００６】
また、例えば、一方の移動端末がＬＴＥ，もう一方の移動端末が３Ｇを無線アクセスネットワークとして用いている場合には、速度差があるため、通信品質を保証することができない。通信品質とは、例えば、音声通話では、通話が途切れないこと，音質が良いこと、等である。
【０００７】
本発明の一態様は、通信品質を向上させる通信システム，通信装置，通信方法および通信プログラムを提供することを目的とする。
【課題を解決するための手段】
【０００８】
本発明の態様の一つは、
複数の無線アクセスネットワークを利用可能な発信側通信装置と、前記複数の無線アクセスネットワークのうち少なくとも１つを利用可能な着信側通信装置と、を含む通信システムであって、
前記発信側通信装置は、記憶装置とプロセッサとを備え、
前記プロセッサが、
前記複数の無線アクセスネットワークのうちの第１の無線アクセスネットワークを、通信に利用する無線アクセスネットワークに設定し、
前記第１の無線アクセスネットワークを、前記通信に利用する無線アクセスネットワークとして、前記着信側通信装置に通知し、
前記着信側通信装置は、記憶装置とプロセッサとを備え、
前記プロセッサが、
前記発信側通信装置からの前記第１の無線アクセスネットワークの通知を受信し、
前記着信側通信装置が利用する無線アクセスネットワークの設定を前記第１の無線アクセスネットワークに切り替え可能か否かを判定し、
前記第１の無線アクセスネットワークへ切替可能な場合に、前記着信側通信装置が利用する無線アクセスネットワークの設定を前記第１の無線アクセスネットワークに切り替える、
通信システムである。
【０００９】
本発明の他の態様の一つは、上述した通信システムにおける発信側通信装置としての通信装置，及び、着信側通信装置としての通信装置である。また、本発明の他の態様の一つは、上述した通信システムにおいて発信側通信装置と着信側通信装置とによって実行される通信方法である。また、本発明の他の態様は、コンピュータを上述した通信システムにおける発信側通信装置又は着信側装置として機能させる通信プログラム、及び当該プログラムを記録したコンピュータ読み取り可能な記録媒体を含むことができる。また、本発明の他の態様は、コンピュータを上述した通信システムにおける着信側通信装置として機能させる通信プログラム、及び当該プログラムを記録したコンピュータ読み取り可能な記録媒体を含むことができる。コンピュータ等が読み取り可能な記録媒体には、データやプログラム等の情報を電気的、磁気的、光学的、機械的、または化学的作用によって蓄積し、コンピュータ等から読み取ることができる記録媒体をいう。
【発明の効果】
【００１０】
開示の通信システム，通信装置，通信方法および通信プログラムによれば、通信品質を向上させることができる。
【図面の簡単な説明】
【００１１】
【図１】第１実施形態の通信システムの一例を示す図である。
【図２】移動端末のハードウェア構成の一例を示す図である。
【図３】移動端末の機能ブロックの一例を示す図である。
【図４】ＲＡＴ切替要求用のＳＭＳメッセージの一例を示す図である。
【図５】第１実施形態における発信側端末の処理のフローチャートの一例である。
【図６】第１実施形態における着信側端末の処理のフローチャートの一例である。
【図７】発信側端末への発信要求の入力から通信確立までの発信側端末と着信側端末との間の処理のシーケンスの一例を示す図である。
【図８】切替応答用のＳＭＳメッセージの一例を示す図である。
【図９】第２実施形態における発信側端末１Ａの処理のフローチャートの一例である。
【図１０】第２実施形態における着信側端末１Ｂの処理のフローチャートの一例である。
【図１１】発信側端末への発信要求の入力から通信確立までの発信側端末と着信側端末との間の処理のシーケンスの一例を示す図である。
【図１２】発信側端末への発信要求の入力から通信確立までの発信側端末と着信側端末との間の処理のシーケンスの一例を示す図である。
【図１３】ＲＡＴ切替問合せ画面の一例である。
【図１４】第３実施形態における着信側端末の処理のフローチャートの一例である。
【発明を実施するための形態】
【００１２】
以下、図面に基づいて、本発明の実施の形態を説明する。以下の実施形態の構成は例示であり、本発明は実施形態の構成に限定されない。
【００１３】
＜第１実施形態＞
図１は、第１実施形態の通信システムの一例を示す図である。通信システム１００は、移動端末１Ａ，１Ｂを含む。移動端末１Ａ，１Ｂは、例えば、２Ｇ，３Ｇ，ＬＴＥ等の複数の無線アクセスネットワークを利用可能である。移動端末１Ａは、ＬＴＥに在圏している。移動端末１Ｂは、３Ｇに在圏している。なお、移動端末が無線アクセスネットワークに在圏しているとは、第１実施形態では、移動端末が、該無線アクセスネットワークからの着信を待ち受けている状態であって、且つ、移動端末によって通信に利用する無線アクセスネットワークに選択されていることを示す。なお、該無線アクセスネットワークからの着信を待ち受けている状態とは、該無線アクセスネットワークの基地局セル内に位置し、間欠的にページングチャネルを受信している状態を示す。移動端末１Ａ，１Ｂが在圏する無線アクセスネットワークは、移動端末１Ａ，１Ｂが電波を検出している無線ネットワークの中から、例えば、電波の強度、ユーザ設定等によって選択される。
【００１４】
例えば、移動端末１Ａが移動端末１Ｂに対して発信要求を行う場合に、第１実施形態における通信システム１００において行われる処理は、以下の通りである。
（１）発信要求に先立ち、移動端末１Ａは、移動端末１Ｂに対して、自身が在圏する無線アクセスネットワーク（ＬＴＥ）を通知する。この通知は、例えば、ＳＭＳ（Short Message Service）を利用して行われる。
（２）移動端末１Ｂは、移動端末１Ａから無線アクセスネットワーク（ＬＴＥ）の通知を受けると、在圏する無線アクセスネットワークを３ＧからＬＴＥに切り替える。
（３）移動端末１Ａは、ＬＴＥを用いて移動端末１Ｂに対して発信要求を行い、移動端末１Ａと移動端末１Ｂとの間で同じ無線アクセスネットワーク（ＬＴＥ）を用いて通信が確立される。
【００１５】
以上のように、第１実施形態では、発信側の移動端末１Ａが着信側の移動端末１Ｂに対して在圏の無線アクセスネットワークを通知することによって、発信側と着信側との移動端末が同じ無線アクセスネットワークで通信を確立させることができる。
【００１６】
なお、ＳＭＳは、シグナリングチャネルを用いて、電話番号で直接相手端末に制御メッセージを送ることができるサービスである。ＳＭＳメッセージは、移動端末１Ａ，１Ｂがそれぞれ在圏する無線アクセスネットワークのシグナリングチャネルを通じて送受信される。
【００１７】
以降、発信側の移動端末１Ａを発信側端末１Ａと記載する。着信側の移動端末１Ｂを着信側端末１Ｂと記載する。また、発信側端末１Ａと着信側端末１Ｂとを区別しない場合には、単に移動端末１と記載する。
【００１８】
（移動端末の構成）
図２は、移動端末１のハードウェア構成の一例を示す図である。移動端末１は、例えば、スマートフォン，携帯タブレット端末等である。図２では、移動端末１の一例としてスマートフォンのハードウェア構成が示される。移動端末１は、アプリケーション制御部１０と通信制御部２０とを含む。通信制御部２０は、通信に係るハードウェアの構成要素を含む。アプリケーション制御部１０は、通信以外の処理に係るハードウェアの構成要素を含む。
【００１９】
アプリケーション制御部１０は、ＣＰＵ（Central Processing Unit）１０１，電源制
御部１０２，マイクロフォン１０３，スピーカ１０４，タッチパネル１０５，ＬＣＤ（Liquid Crystal Display）１０６，ＲＯＭ（Read Only Memory）／ＲＡＭ（Random Access Memory）１０７，メッセージ送受信部１０８を含む。
【００２０】
ＲＯＭ／ＲＡＭ  １０７は、ＲＯＭ，揮発性のＲＡＭ，不揮発性のＲＡＭを含む記憶手段である。揮発性のＲＡＭには、メインメモリに相当するメモリも含まれる。不揮発性のＲＡＭには、通信プログラム，オペレーションシステム（ＯＳ），その他アプリケーションが格納される。通信プログラムは、発信側端末としての、着信側端末との通信確立に先立って、着信側端末に対して在圏の無線アクセスネットワークを通知する処理を行うためのプログラムである。また、通信プログラムは、着信側端末としての、発信側端末からの通知を受け、通知された無線アクセスネットワークに切り替える処理を行うためのプログラムである。
【００２１】
タッチパネル１０５は、位置入力装置の１つであって、ＬＣＤ  １０６の画面に対応する指の接触位置の座標を入力する。タッチパネル１０５は、抵抗膜方式，表面弾性波方式，赤外線方式，電磁誘導方式，静電容量方式等のいずれの方式のものでも良い。ＬＣＤ  １０６は、表示装置の一つであって、ＣＰＵ  １０１から入力される信号に従って、画面データを表示する。
【００２２】
電源制御部１０２は、移動端末１のバッテリ２０８の充電量の管理，バッテリ２０８への充電に係る処理の制御を実行する回路である。マイクロフォン１０３は、音声入力装置の一つである。スピーカ１０４は、音声出力装置の一つである。メッセージ送受信部１０８は、ＣＰＵ  １０１と通信制御部２０（通信制御ＣＰＵ  ２０１）とを接続するインタフェースの回路である。
【００２３】
ＣＰＵ  １０１は、ＲＯＭ／ＲＡＭ  １０７に格納されるプログラムを読出し、メインメモリにロードしてプログラムに含まれる命令を実行することで、様々な処理を実現するプロセッサである。ＣＰＵ  １０１は、電源制御部１０２，マイクロフォン１０３，タッチパネル１０５，メッセージ送受信部１０８からの入力を受け、所定の処理を実行し、電源制御部１０２，スピーカ１０４，ＬＣＤ  １０６，ＲＯＭ／ＲＡＭ  １０７，メッセージ送受信部１０８に該処理の結果を出力する。
【００２４】
通信制御部２０は、通信制御ＣＰＵ  ２０１，音声コーデック制御部２０２，無線部２０３，ＵＩＭ（User Identity Module）カード２０７，バッテリ２０８，ＲＯＭ／ＲＡＭ２０９を含む。
【００２５】
無線部２０３は、アンテナ３００と接続しており、アンテナ３００を通じて無線信号の受信及び送信を行う回路である。無線部２０３は、無線信号と電気信号との変換，電気信号の変調及び復調を行う。無線部２０３は、例えば、ＬＴＥ処理部２０４，３Ｇ処理部２０５，２Ｇ処理部２０６の回路を備え、これらを備えることによって、ＬＴＥ，３Ｇ，２Ｇの複数の無線アクセスネットワークを利用可能となっている。３Ｇ処理部２０５は、例えば、ＷＣＤＭＡ（Wideband Code Division Multiple Access）に基づく符号化処理，変調処理等を実行する。２Ｇ処理部２０６は、例えば、ＧＳＭ（Global System for Mobile
Communications）に基づく符号化処理，変調処理等を実行する。
【００２６】
なお、アンテナ３００は１つでも複数でもよい。アンテナ３００は１つである場合には、ＬＴＥ処理部２０４，３Ｇ処理部２０５，２Ｇ処理部２０６で共用される。アンテナ３００が複数備えられる場合には、ＬＴＥ処理部２０４，３Ｇ処理部２０５，２Ｇ処理部２０６のそれぞれに対して１つずつ備えられる。
【００２７】
音声コーデック制御部２０２は、音声信号の符号化に係る処理の制御を行う回路である。ＵＩＭカード２０７は、電話番号，加入者識別番号等の情報を格納するＩＣカードであり、移動端末１に着脱可能である。メッセージ送受信部２１０は、通信制御ＣＰＵ  ２０１とアプリケーション制御部１０（ＣＰＵ  １０１）とを接続するインタフェース回路で
ある。
【００２８】
ＲＯＭ／ＲＡＭ  ２０９は、ＲＯＭ，揮発性のＲＡＭ，不揮発性のＲＡＭを含む記憶手段である。揮発性のＲＡＭには、メインメモリに相当するメモリも含まれる。不揮発性のＲＡＭには、例えば、通信制御に係るプログラムが格納される。
【００２９】
通信制御ＣＰＵ  ２０１は、ＲＯＭ／ＲＡＭ  ２０９に格納されるプログラムをメインメモリにロードし、プログラムに含まれる命令を実行することによって通信制御に係る処理を実現するプロセッサである。
【００３０】
なお、移動端末１のハードウェア構成は、図２に示されるものに限定されず、適宜、ハードウェア構成要素の追加、置換、削除等の変更が可能である。移動端末１は、態様における「通信装置」の一例である。
【００３１】
移動端末１が在圏する無線アクセスネットワークを切り替える場合には、移動端末１は、ＬＴＥ処理部２０４，３Ｇ処理部２０５，２Ｇ処理部２０６のうち有効に設定するものを切り替え、切り替え先の無線アクセスネットワークからのページングチャネルを間欠的に受信可能にするための処理を行う。したがって、在圏する無線アクセスネットワークを切り替えることを、以降、ＲＡＴ（Radio Access Technology）を切り替える、と称する
。また、無線アクセスネットワーク自体をＲＡＴとも称する。また、移動端末１が在圏している無線アクセスネットワークを、以降、在圏ＲＡＴと称する。
【００３２】
図３は、移動端末１の機能ブロックの一例を示す図である。移動端末１のアプリケーション制御部１０は、機能ブロックとして、ユーザインタフェース処理部１１，呼制御部１２，ＲＡＴ切替制御部１３，メッセージ送受信部１４を備える。ユーザインタフェース処理部１１，呼制御部１２，ＲＡＴ切替制御部１３は、それぞれ、アプリケーション制御部１０のＣＰＵ  １０１がＲＯＭ／ＲＡＭ  １０７に格納されるプログラムを実行することによって実現される。メッセージ送受信部１４は、アプリケーション制御部１０のメッセージ送受信部１０８に対応する。
【００３３】
ユーザインタフェース処理部１１は、ユーザに対する入出力に係る処理を行う。ユーザインタフェース処理部１１は、例えば、タッチパネル１０５や入力ボタン等の操作によるユーザからの発信要求を受け、着信側端末へのＲＡＴ切替要求の有無を判定する。着信側端末へのＲＡＴ切替要求の有無は、例えば、ＬＣＤ  １０６に表示される発信画面において、ＲＡＴ切替の有無をユーザによって選択されることによって、発信要求とともに入力される。着信側端末のＲＡＴ切替要求が有る場合には、ユーザインタフェース処理部１１が呼制御部１２に通知を行う。
【００３４】
呼制御部１２は、ユーザインタフェース処理部１１，ＲＡＴ切替制御部１３，メッセージ送受信部１４の制御を行う。より具体的には、呼制御部１２は、例えば、ユーザインタフェース処理部１１，ＲＡＴ切替制御部１３，メッセージ送受信部１４の間の情報の受け渡しを行う。また、呼制御部１２は、ＲＡＴ切替制御部１３に対するＳＭＳメッセージの作成要求を行う。また、呼制御部１２は、他の移動端末から受信したＳＭＳメッセージの解析を行い、所定のＳＭＳメッセージをＲＡＴ切替制御部１３に送信する。また、呼制御部１２は、発信要求の送信を行う。
【００３５】
ＲＡＴ切替制御部１３は、ＲＡＴ切替に係る処理を行う。より具体的には、ＲＡＴ切替制御部１３は、例えば、呼制御部１２からのＳＭＳメッセージの作成要求を受けて、着信側端末に対してＲＡＴ切替を要求するためのＳＭＳメッセージ（ＲＡＴ切替要求用のＳＭＳメッセージ）を作成する。また、ＲＡＴ切替制御部１３は、発信側端末からのＲＡＴ切
替要求用のＳＭＳメッセージを受信して、ＲＡＴの切替可否判定，通信制御部２０に対するＲＡＴ切替要求を行う。
【００３６】
メッセージ送受信部１４は、通信制御部２０とのインタフェースであって、通信制御部２０とアプリケーション制御部１０の呼制御部１２との間の情報の受け渡しを行う。
【００３７】
次に、移動端末１の通信制御部２０は、機能ブロックとして、メッセージ送受信部２１，呼制御部２２，無線ネットワーク制御部２３，無線通信処理部２４を備える。呼制御部２２，無線ネットワーク制御部２３，無線通信処理部２４は、それぞれ、通信制御部２０の通信制御ＣＰＵ  ２０１がＲＯＭ／ＲＡＭ  ２０９に格納されるプログラムを実行することによって実現される。メッセージ送受信部２１は、通信制御部２０のメッセージ送受信部２１０に対応する。
【００３８】
メッセージ送受信部２１は、アプリケーション制御部１０とのインタフェースであって、アプリケーション制御部１０と、通信制御部２０の呼制御部２２及び無線ネットワーク制御部２３との間の情報の受け渡しを行う。
【００３９】
呼制御部２２は、メッセージ送受信部２１と無線通信処理部２４との間の情報の受け渡しを行う。また、呼制御部２２は、着信要求を受信した場合に、発信側端末との呼確立のための着信処理を実行する。
【００４０】
無線ネットワーク制御部２３は、アプリケーション制御部１０（ＲＡＴ切替制御部１３）からＲＡＴ切替要求を受信した場合に、ＲＡＴの切り替えを行う。より具体的には、無線ネットワーク制御部２３は、ＬＴＥ処理部２０４，３Ｇ処理部２０５，２Ｇ処理部２０６のうち、ＲＡＴ切替要求によって指定されたＲＡＴの処理部に有効の設定を切り替える。無線通信処理部２４は、無線部２０３とのインタフェースである。
【００４１】
図４は、ＲＡＴ切替要求用のＳＭＳメッセージの一例を示す図である。ＲＡＴ切替要求用のＳＭＳメッセージは、発信側端末１Ａにおいて、発信要求とともに着信側端末１ＢのＲＡＴ切替要求がユーザから入力された場合に、ＲＡＴ切替制御部１３によって作成される。
【００４２】
ＲＡＴ切替要求用のＳＭＳメッセージは、ヘッダに、切替メッセージフラグとＲＡＴ情報とを含む。切替メッセージフラグは、ＳＭＳメッセージがＲＡＴ切替要求用のＳＭＳメッセージであることを示すためのフラグである。切替メッセージフラグは、１ビットである。例えば、切替メッセージフラグが０である場合には通常のＳＭＳメッセージであることが示される。例えば、切替メッセージフラグが１である場合にはＲＡＴ切替要求用のＳＭＳメッセージであることが示される。
【００４３】
ＲＡＴ情報は、該ＳＭＳメッセージを作成した移動端末１が在圏している無線アクセスネットワークを示す情報である。ＲＡＴ情報は、例えば、２ビットである。例えば、ＲＡＴ情報が０（１０進数）である場合には、在圏ＲＡＴがＬＴＥであることが示される。例えば、ＲＡＴ情報が１（１０進数）である場合には、在圏ＲＡＴが３Ｇであることが示される。例えば、ＲＡＴ情報が２（１０進数）である場合には、在圏ＲＡＴが２Ｇであることが示される。
【００４４】
ＳＭＳは、シグナリングチャネルを用いて、着信側端末１Ｂに直接制御メッセージを送信できるサービスである。ＳＭＳメッセージは、在圏ＲＡＴに対応する処理部（ＬＴＥ処理部２０４，３Ｇ処理部２０５，２Ｇ処理部２０６のいずれか）からから送信される。第１実施形態では、ＲＡＴ切替要求用のＳＭＳメッセージによって、発信側端末１Ａから着
信側端末１Ｂに、発信側端末１Ａの在圏ＲＡＴが通知される。
【００４５】
（移動端末の処理の流れ）
図５は、第１実施形態における発信側端末１Ａの処理のフローチャートの一例である。図５に示されるフローチャートは、例えば、アプリケーション制御部１０のＣＰＵ  １０１が、ユーザから発信要求が入力された場合に、通信プログラムを起動し、実行することによって行われる処理である。すなわち、図５に示されるフローチャートは、発信側端末１Ａにユーザから発信要求が入力された場合に開始される。
【００４６】
Ｓ１では、ユーザインタフェース処理部１１が、ＲＡＴ切替要求の有無を判定する。ＲＡＴ切替要求の有無の判定結果は、呼制御部１２に通知される。ＲＡＴ切替要求が有る場合には（Ｓ１：ＹＥＳ）、処理がＳ２に進む。ＲＡＴ切替要求が無い場合には（Ｓ２：ＮＯ）、処理がＳ４に進む。
【００４７】
Ｓ２では、ＲＡＴ切替制御部１３が、ＲＡＴ切替要求用のＳＭＳメッセージを作成する。ＲＡＴ切替要求用のＳＭＳメッセージでは、例えば、切替メッセージフラグは１（切替），ＲＡＴ情報は発信側端末１Ａの在圏ＲＡＴを示す値に設定される。なお、ＲＡＴ切替要求用のＳＭＳメッセージの作成要求は呼制御部１２によってなされる。また、発信側端末１Ａの在圏ＲＡＴは、呼制御部１２によって通信制御部２０の無線ネットワーク制御部２３から取得され、ＲＡＴ切替要求用のＳＭＳメッセージの作成要求とともにＲＡＴ切替制御部１３に通知される。
【００４８】
Ｓ３では、ＲＡＴ切替制御部１３は、ＲＡＴ切替要求用のＳＭＳメッセージを送信する。ＲＡＴ切替要求用のＳＭＳメッセージは、呼制御部１２，メッセージ送受信部１４，通信制御部２０のメッセージ送受信部２１，呼制御部２２，無線通信部２４，無線部２０３の在圏ＲＡＴに対応する処理部を通じて着信側端末１Ｂに送信される。
【００４９】
Ｓ４では、呼制御部１２は、在圏ＲＡＴによって着信側端末１Ｂに対する発信要求を送信する。発信要求は、メッセージ送受信部１４，通信制御部２０のメッセージ送受信部２１，呼制御部２２，無線通信部２４，無線部２０３の在圏ＲＡＴの処理部を通じて送信される。例えば、ＲＡＴ切替要求用のＳＭＳメッセージを送信した場合には、呼制御部１２は、所定時間経過後に発信要求を送信するようにしてもよい。
【００５０】
図６は、第1実施形態における着信側端末１Ｂの処理のフローチャートの一例である。
図６に示されるフローチャートは、例えば、アプリケーション制御部１０のＣＰＵ  １０１が、ＳＭＳメッセージの受信を検知した場合に、通信プログラムを起動し、実行することによって行われる処理である。すなわち、図６に示されるフローチャートは、着信側端末１ＢがＳＭＳメッセージを受信した場合に開始される。ＳＭＳメッセージは、無線部２０３の在圏ＲＡＴの処理部，無線通信処理部２４，呼制御部２２，メッセージ送受信部２１，アプリケーション制御部１０のメッセージ送受信部１４を経由して、アプリケーション制御部１０の呼制御部１２に到着する。
【００５１】
Ｓ１１では、アプリケーション通信部１０の呼制御部１２は、受信したＳＭＳメッセージがＲＡＴ切替要求用のＳＭＳメッセージであるか否かを判定する。この判定は、ＳＭＳメッセージのヘッダ内の切替メッセージフラグの値によって行われる。例えば、切替メッセージフラグが０である場合には、通常のＳＭＳメッセージであることが示される。例えば、切替メッセージフラグが１である場合には、ＲＡＴ切替要求用のＳＭＳメッセージであることが示される。ＳＭＳメッセージがＲＡＴ切替要求用のＳＭＳメッセージである場合には（Ｓ１１：ＹＥＳ）、処理がＳ１２に進む。ＳＭＳメッセージがＲＡＴ切替要求用のメッセージではない場合には（Ｓ１１：ＮＯ）、図６に示される処理が終了し、着信側
端末１Ｂは在圏ＲＡＴの切り替えを行わずに現在の在圏ＲＡＴで着信要求を待ち受ける。
【００５２】
Ｓ１２では、呼制御部１２はＲＡＴ切替要求用のＳＭＳメッセージをＲＡＴ切替制御部１３に送信し、ＲＡＴ切替制御部１３は、ＲＡＴ切替要求によって通知された発信側端末１Ａの在圏ＲＡＴへの切り替えが可能か否かを判定する。発信側端末１Ａの在圏ＲＡＴは、ＲＡＴ切替要求用のＳＭＳメッセージにＲＡＴ情報として含まれている。
【００５３】
発信側端末１Ａの在圏ＲＡＴへの切り替えが可能な場合には（Ｓ１２：ＹＥＳ）、処理がＳ１３に進む。例えば、以下の条件全てが満たされる場合に、ＲＡＴ切替制御部１３は、指定されたＲＡＴへの切替可能を判定する。条件は、（１）指定されたＲＡＴに対応する処理部が無線部２０３に備えられている、（２）指定されたＲＡＴの電波が検出されている、（３）指定されたＲＡＴへの切替がユーザによって許可されている、（４）指定されたＲＡＴと着信側端末１Ｂの在圏ＲＡＴとが異なる、である。
【００５４】
発信側端末１Ａの在圏ＲＡＴへの切替が不可能な場合には（Ｓ１２：ＮＯ）、図６に示される処理が終了し、着信側端末１Ｂは在圏ＲＡＴの切り替えを行わずに現在の在圏ＲＡＴで着信要求を待ち受ける。例えば、（１）指定されたＲＡＴに対応する処理部が無線部２０３に備えられていない、（２）指定されたＲＡＴの電波が検出されてない、（３）指定されたＲＡＴへの切替がユーザ設定によって禁止されている、（４）指定されたＲＡＴと着信側端末１Ｂの在圏ＲＡＴとが同じである場合には、ＲＡＴ切替制御部１３は、発信側端末１Ａへの切替不可を判定する。
【００５５】
Ｓ１３では、ＲＡＴ切替制御部１３は、無線ネットワーク制御部２３へ発信側端末１Ａの在圏ＲＡＴへのＲＡＴ切替要求を送信する。このＲＡＴ切替要求は、アプリケーション制御部１０の呼制御部１２，メッセージ送受信部１４，通信制御部２０のメッセージ送受信部２１を経由して無線ネットワーク制御部２３に到達する。ＲＡＴ切替要求を受けると、ＲＡＴ切替制御部１３は、発信側端末１Ａの在圏ＲＡＴへの切替処理を行う。その後、図６に示される処理が終了し、着信側端末１Ｂは在圏ＲＡＴで着信要求を待ち受ける。
【００５６】
（具体例）
図７は、発信側端末１Ａへの発信要求の入力から通信確立までの発信側端末１Ａと着信側端末１Ｂとの間の処理のシーケンスの一例を示す図である。図７で示される例では、発信側端末１Ａ及び着信側端末１Ｂは、ＬＴＥ，３Ｇ，２Ｇの機能を有しており、発信側端末１Ａの在圏ＲＡＴはＬＴＥ，着信側端末１Ｂの在圏ＲＡＴは３Ｇであるとする。また、着信側端末１Ｂは、ＬＴＥの電波を検知しており、且つ、ＬＴＥの使用を許可されているものとする。また、発信側端末１Ａ及び着信側端末１Ｂは、３Ｇの電波を検知しており、ＳＭＳメッセージの送受信ができる状態であるとする。以下では、発信側端末１Ａと着信側端末１ＢがＬＴＥで通信確立するまでの処理シーケンスについて説明する。
【００５７】
ＯＰ１では、発信側端末１Ａに、ユーザから、着信側端末１Ｂに対する発信要求とＲＡＴ切替要求とが入力される（図５、Ｓ１：ＹＥＳ）。ＯＰ２では、発信側端末１Ａは、ＲＡＴ切替要求用のＳＭＳメッセージを作成する（図５、Ｓ２）。このＳＭＳメッセージは、発信側端末１Ａの在圏ＲＡＴがＬＴＥであることを着信側端末１Ｂに通知するためのメッセージである。ＲＡＴ切替要求用のＳＭＳメッセージには、切替メッセージフラグに１（切替要求）、ＲＡＴ情報に０（ＬＴＥ）が設定される。ＯＰ３では、発信側端末１Ａは、着信側端末１ＢにＲＡＴ切替要求用のＳＭＳメッセージを送信する（図５、Ｓ３）。
【００５８】
ＯＰ４では、着信側端末１ＢがＲＡＴ切替要求用のＳＭＳメッセージを受信し（図６、Ｓ１１：ＹＥＳ）、着信側端末１ＢはＬＴＥに在圏ＲＡＴを切替可能であるので（図６、Ｓ１２：ＹＥＳ）、３ＧからＬＴＥに在圏ＲＡＴを切り替える（図６、Ｓ１３）。
【００５９】
ＯＰ５では、発信側端末１Ａが着信側端末１Ｂに対して、ＬＴＥを用いて発信要求を行う（図５、Ｓ４）。ＯＰ６では、着信側端末１Ｂが、発信側端末１Ａからの着信要求をＬＴＥ経由で受信し、着信処理を行う。着信処理が完了すると、発信側端末１Ａと着信側端末１Ｂとの間の通信が確立し、発信側端末１Ａと着信側端末１Ｂとは、同じＲＡＴ（ＬＴＥ）を用いて通信を行うことができる。
【００６０】
（第１実施形態の作用効果）
第１実施形態では、発信側端末１Ａが、着信側端末１Ｂに対する発信要求の送信に先立って、ＳＭＳメッセージを用いて着信側端末１Ｂに在圏ＲＡＴを通知し、着信側端末１Ｂは、通知された発信側端末１Ａの在圏ＲＡＴに在圏ＲＡＴを合わせるための処理を行う。これによって、端末間のエンドツーエンド通信において、発信側端末１Ａと着信側端末１ＢとのＲＡＴを一致させることができ、安定した通信品質を保つことができる。
【００６１】
＜第２実施形態＞
第２実施形態では、着信側端末１Ｂは、ＲＡＴ切替要求用のＳＭＳメッセージによって通知されたＲＡＴへの在圏ＲＡＴの切り替えの結果を通知し、発信側端末１Ａは、この結果の通知を受けてから着信側端末１Ｂに対する発信要求を送信する。第２実施形態では、第１実施形態と重複する説明は省略される。
【００６２】
第２実施形態において、移動端末１のハードウェア構成及び機能構成は、図２，図３に示される通りである。第２実施形態では、着信側端末のＲＡＴ切替制御部１３は、発信側端末からのＲＡＴ切替要求用のＳＭＳメッセージの受信に応じてＲＡＴの切替処理を実行した場合には、無線ネットワーク制御部２３に対してＲＡＴ切替要求を送信済みか否かによってＲＡＴ切替結果を取得する。ＲＡＴ切替制御部１３は、通信制御部２０の無線ネットワーク制御部２３に対してＲＡＴ切替要求を送信済みである場合には、ＲＡＴ切替結果としてＲＡＴ切替成功を判定する。ＲＡＴ切替制御部１３は、通信制御部２０の無線ネットワーク制御部２３に対してＲＡＴ切替要求が未送信であることによって、ＲＡＴ切替結果としてＲＡＴ切替失敗を判定する。
【００６３】
なお、ＲＡＴ切替結果は、ＲＡＴ切替制御部１３から通信制御部２０の無線ネットワーク制御部２３に対するＲＡＴ切替要求の送信の有無の判定によって取得されることに限られない。例えば、ＲＡＴ切替制御部１３は、無線ネットワーク制御部２３に対してＲＡＴ切替要求を送信した後、無線ネットワーク制御部２３にＲＡＴ切替結果を問い合わせて取得してもよい。
【００６４】
ＲＡＴ切替制御部１３は、ＲＡＴ切替結果を取得した場合、発信側端末にＲＡＴ切替結果を通知するための切替応答用のＳＭＳメッセージを作成し、発信側端末に送信する。切替応答用のＳＭＳメッセージには、ＲＡＴ切替結果と、在圏ＲＡＴとの情報が含まれる（詳細は後述）。
【００６５】
また、発信側端末のＲＡＴ切替制御部１３は、着信側端末から切替応答用のＳＭＳメッセージを受信した場合には、該ＳＭＳメッセージからＲＡＴ切替結果を抽出する。ＲＡＴ切替結果が成功を示す場合には、ＲＡＴ切替制御部１３は、呼制御部１２に通知し、呼制御部１２は発信要求を送信する。ＲＡＴ切替結果が失敗の場合には、ＲＡＴ切替制御部１３は、切替応答用のＳＭＳメッセージから着信側端末の在圏ＲＡＴを抽出する。ＲＡＴ切替制御部１３は、着信側端末の在圏ＲＡＴへの切替可否を判定し、切替可能な場合には、着信側端末と在圏ＲＡＴを一致させるため、着信側端末の在圏ＲＡＴへのＲＡＴ切替要求を通信制御部２０の無線ネットワーク制御部２３に送信する。
【００６６】
図８は、切替応答用のＳＭＳメッセージの一例を示す図である。切替応答用のＳＭＳメッセージは、着信側端末１Ｂにおいて、発信側端末からのＲＡＴ切替要求用のＳＭＳメッセージが受信された場合に、ＲＡＴ切替制御部１３によって作成される。
【００６７】
切替応答用のＳＭＳメッセージは、ヘッダに、切替結果情報とＲＡＴ情報とを含む。切替結果情報は、発信側端末からのＲＡＴ切替要求用のＳＭＳメッセージによって通知された着信側端末の在圏ＲＡＴへの切替結果を示す情報である。切替結果情報は、例えば、１ビットである。例えば、切替結果情報が０である場合には、発信側端末の在圏ＲＡＴへの切替の成功が示される。例えば、切替結果情報が１である場合には、発信側端末の在圏ＲＡＴへの切替の失敗が示される。
【００６８】
ＲＡＴ情報は、該ＳＭＳメッセージを作成した移動端末１が在圏している無線アクセスネットワークを示す情報であり、図４において説明された通りである。
【００６９】
（移動端末の処理の流れ）
図９は、第２実施形態における発信側端末１Ａの処理のフローチャートの一例である。図９に示されるフローチャートは、図５に示されるフローチャートと同様に、例えば、アプリケーション制御部１０のＣＰＵ  １０１が、ユーザから発信要求が入力された場合に、通信プログラムを起動し、実行することによって行われる処理である。
【００７０】
Ｓ２１−Ｓ２３は、それぞれ、第１実施形態の図５におけるＳ１−Ｓ３の処理と同様である。すなわち、Ｓ２１−Ｓ２３では、ユーザ入力による発信要求に伴ったＲＡＴ切替要求の有無が判定され（Ｓ２１）、ＲＡＴ切替要求が有る場合には（Ｓ２１：ＹＥＳ）、ＲＡＴ切替要求用のＳＭＳメッセージが作成され（Ｓ２２）、着信側端末１Ｂに送信される（Ｓ２３）。ＲＡＴ切替要求が無い場合には（Ｓ２１：ＮＯ）、処理がＳ２９に進む。
【００７１】
Ｓ２４では、着信側端末１Ｂから切替応答用のＳＭＳメッセージが受信されると（Ｓ２４：ＹＥＳ）、処理がＯＰ２５に進む。着信側端末１Ｂからの切替応答用のＳＭＳメッセージは、無線部２０３の在圏ＲＡＴの処理部，通信制御部２０の呼制御部２２，メッセージ送受信部２１，アプリケーション制御部１０のメッセージ送受信部１４を経由して、アプリケーション制御部１０の呼制御部１２に入力される。呼制御部１２は、ＳＭＳメッセージ内に切替結果情報（図８参照）が含まれている場合に、該ＳＭＳメッセージを切替応答用のＳＭＳメッセージと判定し、ＲＡＴ切替制御部１３に送信する。
【００７２】
着信側端末１Ｂから切替応答用のＳＭＳメッセージが受信されない場合には（Ｓ２４：ＮＯ）、処理がＯＰ２９に進む。例えば、呼制御部１２は、ＲＡＴ切替要求用のＳＭＳメッセージを送信した後、所定時間経過しても切替応答用のＳＭＳメッセージを受信しない場合に、すなわち、タイムアウトした場合に、切替応答用のＳＭＳメッセージの受信無しを判定する。
【００７３】
例えば、Ｓ２３において、呼制御部１２は、ＲＡＴ切替制御部１３から受信したＲＡＴ切替要求用のＳＭＳメッセージを送信した後、着信側端末１Ｂからの応答待ち状態であることをＲＯＭ／ＲＡＭ  １０７に含まれるメモリに記録する。例えば、応答待ち状態であることを示すフラグが用いられ、該フラグをオンにする（１に設定する）ことで応答待ち状態であることが記録される。着信側端末１Ｂからの切替応答用のＳＭＳメッセージを受信した場合、及び、タイムアウトした場合に、呼制御部１２は、例えば、フラグをオフにする（０に設定する）ことで、該メモリの着信側端末１Ｂからの応答待ち状態であることの記録を削除する。
【００７４】
Ｓ２５では、ＲＡＴ切替制御部１３は、切替応答用のＳＭＳメッセージから、着信側端
末１Ｂの在圏ＲＡＴの切替処理が成功したか否かを判定する。この判定は、切替応答用のＳＭＳメッセージのヘッダ内の切替結果情報が、例えば、在圏ＲＡＴの切替処理の成功を示す０であるか、失敗を示す１であるかを判定することによって行われる。着信側端末１Ｂの在圏ＲＡＴの切替処理が成功した場合には（Ｓ２５：ＹＥＳ）、処理がＳ２９に進む。着信側端末１Ｂの在圏ＲＡＴの切替処理が失敗した場合には（Ｓ２５：ＮＯ）、処理がＳ２６に進む。
【００７５】
Ｓ２６では、着信側端末１Ｂにおける在圏ＲＡＴの切替処理が失敗したため、発信側端末１Ａの在圏ＲＡＴを着信側端末１Ｂに合わせるために、ＲＡＴ切替制御部１３は、着信側端末１Ｂの在圏ＲＡＴへの切り替えが可能か否かを判定する。着信側端末１Ｂの在圏ＲＡＴは、切替応答用のＳＭＳメッセージのＲＡＴ情報によって取得される（図８参照）。
【００７６】
着信側端末１Ｂの在圏ＲＡＴへの切り替えが可能な場合には（Ｓ２６：ＹＥＳ）、処理がＳ２７に進む。着信側端末１Ｂの在圏ＲＡＴへの切替が不可能な場合には（Ｓ２６：ＮＯ）、発信側端末１Ａは在圏ＲＡＴの切り替えを行わず、処理がＳ２９に進む。在圏ＲＡＴの切替可否判定の条件は、例えば、第１実施形態で説明されたものと同様である。
【００７７】
Ｓ２７では、ＲＡＴ切替制御部１３は、無線ネットワーク制御部２３へ着信側端末１Ｂの在圏ＲＡＴへのＲＡＴ切替要求を送信する。このＲＡＴ切替要求は、アプリケーション制御部１０の呼制御部１２，メッセージ送受信部１４，通信制御部２０のメッセージ送受信部２１を経由して無線ネットワーク制御部２３に到達する。ＲＡＴ切替要求を受けると、無線ネットワーク制御部２３は、着信側端末１Ｂの在圏ＲＡＴへの切替処理を行う。
【００７８】
Ｓ２８では、ＲＡＴ切替制御部１３は、Ｓ２７における、着信側端末１Ｂの在圏ＲＡＴへの切替処理の結果を取得する。この判定は、例えば、ＲＡＴ切替制御部１３が通信制御部２０の無線ネットワーク制御部２３にＲＡＴ切替要求を送信しているか否かによって判定される。また、例えば、ＲＡＴ切替制御部１３が通信制御部２０の無線ネットワーク制御部２３に問い合わせ、在圏ＲＡＴの切替処理の結果を取得することによって行われてもよい。在圏ＲＡＴの切替処理の結果は、呼制御部１２に通知される。
【００７９】
Ｓ２９では、呼制御部１２は、在圏ＲＡＴを通じて着信側端末１Ｂに対する発信要求を送信する。発信要求は、メッセージ送受信部１４，通信制御部２０のメッセージ送受信部２１，呼制御部２２，無線通信部２４，無線部２０３の在圏ＲＡＴの処理部を通じて送信される。ＲＡＴ切替要求がユーザから入力されない場合（Ｓ２１：ＮＯ）、着信側端末１Ｂから切替応答用のＳＭＳメッセージが受信されない場合（Ｓ２４：ＮＯ）、着信側端末１Ｂの在圏ＲＡＴの切替処理が成功した場合（Ｓ２５：ＹＥＳ）、着信側端末１Ｂの在圏ＲＡＴへの切替が不可能な場合（Ｓ２６：ＮＯ）、着信側端末１Ｂの在圏ＲＡＴへの切替処理が失敗した場合（Ｓ２８）には、発信側端末１Ａは、図９に示される処理開始時の在圏ＲＡＴによって発信要求を行う。着信側端末１Ｂの在圏ＲＡＴへの切替処理が成功した場合（Ｓ２８）には、発信側端末１Ａは、切替後の在圏ＲＡＴである、図９に示される処理開始時の着信側端末１Ｂの在圏ＲＡＴによって発信要求を行う。
【００８０】
図１０は、第２実施形態における着信側端末１Ｂの処理のフローチャートの一例を示す図である。図１０に示されるフローチャートは、例えば、アプリケーション制御部１０のＣＰＵ  １０１が、ＳＭＳメッセージの受信を検知した場合に、通信プログラムを起動し、実行することによって行われる処理である。
【００８１】
Ｓ３１−Ｓ３３の処理は、それぞれ、第１実施形態の図６のＳ１１−Ｓ１３の処理と同様である。Ｓ３１−Ｓ３３では、ＳＭＳメッセージがＲＡＴ切替要求用のＳＭＳメッセージであるか否かが判定され（Ｓ３１）、ＲＡＴ切替要求用のＳＭＳメッセージである場合
には（Ｓ３１：ＹＥＳ）、発信側端末１Ａの在圏ＲＡＴへの切替処理が実行される（Ｓ３２：ＹＥＳ、Ｓ３３）。ＳＭＳメッセージがＲＡＴ切替要求用のメッセージではない場合には（Ｓ３１：ＮＯ）、図１０に示される処理が終了し、着信側端末１Ｂは在圏ＲＡＴの切り替えを行わずに現在の在圏ＲＡＴで着信要求を待ち受ける。発信側端末１Ａの在圏ＲＡＴへの切り替えができない場合には（Ｓ３２：ＮＯ）、着信側端末１Ｂは在圏ＲＡＴの切り替えを行わずに、処理がＳ３５に進む。
【００８２】
Ｓ３４では、ＲＡＴ切替制御部１３は、発信側端末１Ａの在圏ＲＡＴへの切替処理の結果を取得する。この判定は、例えば、ＲＡＴ切替制御部１３が通信制御部２０の無線ネットワーク制御部２３にＲＡＴ切替要求を送信しているか否かによって判定される。また、例えば、ＲＡＴ切替制御部１３が通信制御部２０の無線ネットワーク制御部２３に問い合わせ、在圏ＲＡＴの切替処理の結果を取得することによって行われてもよい。在圏ＲＡＴの切替処理の結果は、呼制御部１２に通知される。呼制御部１２は、ＲＡＴ切替制御部１３に切替応答用のＳＭＳメッセージの作成要求を送信する。
【００８３】
Ｓ３５では、ＲＡＴ切替制御部１３は、呼制御部１２からの切替応答用のＳＭＳメッセージの作成要求を受信し、切替応答用のＳＭＳメッセージを作成する。ＲＡＴ切替要求用のＳＭＳメッセージによって通知された発信側端末１Ａの在圏ＲＡＴへの切替処理が成功した場合には、例えば、切替応答用のＳＭＳメッセージの切替結果情報は０（成功）、ＲＡＴ情報は発信側端末１Ａの在圏ＲＡＴを示す値に設定される。発信側端末１Ａの在圏ＲＡＴへの切替処理が失敗した場合、及び、Ｓ３２で発信側端末１Ａの在圏ＲＡＴへの切替不可と判定された場合には、例えば、切替応答用のＳＭＳメッセージの切替結果情報は１（失敗）、ＲＡＴ情報は発信側端末１Ａの在圏ＲＡＴを示す値に設定される。
【００８４】
Ｓ３６では、ＲＡＴ切替制御部１３は、切替応答用のＳＭＳメッセージを送信する。切替応答用のＳＭＳメッセージは、呼制御部１２，メッセージ送受信部１４，通信制御部２０のメッセージ送受信部２１，呼制御部２２，無線通信部２４，無線部２０３の在圏ＲＡＴの処理部を通じて発信側端末１Ａに送信される。その後、図１０に示される処理が終了し、着信側端末１Ｂは在圏ＲＡＴで着信要求を待ち受ける。
【００８５】
（具体例）
図１１は、発信側端末１Ａへの発信要求の入力から通信確立までの発信側端末１Ａと着信側端末１Ｂとの間の処理のシーケンスの一例を示す図である。図１１に示される例の前提は、図７で示される例と同様である。以下では、発信側端末１Ａと着信側端末１ＢがＬＴＥで通信確立するまでの処理シーケンスについて説明する。
【００８６】
ＯＰ１１では、発信側端末１Ａに、ユーザから、着信側端末１Ｂに対する発信要求とＲＡＴ切替要求とが入力される（図９、Ｓ２１：ＹＥＳ）。ＯＰ１２では、発信側端末１Ａは、ＲＡＴ切替要求用のＳＭＳメッセージを作成する（図９、Ｓ２２）。このＳＭＳメッセージは、発信側端末１Ａの在圏ＲＡＴがＬＴＥであることを着信側端末１Ｂに通知するためのメッセージである。ＲＡＴ切替要求用のＳＭＳメッセージには、切替メッセージフラグに１（切替要求）、ＲＡＴ情報に０（ＬＴＥ）が設定される。ＯＰ１３では、発信側端末１Ａは、着信側端末１ＢにＲＡＴ切替要求用のＳＭＳメッセージを送信する（図９、Ｓ２３）。
【００８７】
ＯＰ１４では、着信側端末１ＢがＲＡＴ切替要求用のＳＭＳメッセージを受信し（図１０、Ｓ３１：ＹＥＳ）、着信側端末１ＢはＬＴＥに在圏ＲＡＴを切替可能であるので（図１０、Ｓ３２：ＹＥＳ）、３ＧからＬＴＥに在圏ＲＡＴを切り替える（図１０、Ｓ３３）。着信側端末１Ｂは、ＬＴＥの機能を有し、ＬＴＥの電波を検知しており、ＬＴＥの使用が許可されているので、ＬＴＥへの在圏ＲＡＴの切替は成功する（図１０、Ｓ３４）。
【００８８】
ＯＰ１５では、着信側端末１Ｂは、発信側端末１Ａの在圏ＲＡＴ（ＬＴＥ）への在圏ＲＡＴの切替処理の結果を通知する切替応答用のＳＭＳメッセージを作成する（図１０、Ｓ３５）。ＬＴＥへの在圏ＲＡＴの切替は成功したので、切替応答用のＳＭＳメッセージには、切替結果情報に０（成功）、ＲＡＴ情報に０（ＬＴＥ）が設定される。ＯＰ１６では、着信側端末１Ｂは、発信側端末１Ａに切替応答用のＳＭＳメッセージを送信する（図１０、Ｓ３６）。
【００８９】
ＯＰ１７では、発信側端末１Ａは、切替応答用のＳＭＳメッセージを受信し、着信側端末１ＢがＬＴＥへ在圏ＲＡＴの切替を成功させたので（図９、Ｓ２４：ＹＥＳ、Ｓ２５：ＹＥＳ）、着信側端末１Ｂに対して、ＬＴＥを通じて発信要求を送信する（図９、Ｓ２９）。
【００９０】
ＯＰ１８では、着信側端末１Ｂが、発信側端末１Ａからの着信要求をＬＴＥ経由で受信し、着信処理を行う。着信処理が完了すると、発信側端末１Ａと着信側端末１Ｂとの間の通信が確立し、発信側端末１Ａと着信側端末１Ｂとは、同じＲＡＴ（ＬＴＥ）を用いて通信を行うことができる。
【００９１】
図１２は、発信側端末１Ａへの発信要求の入力から通信確立までの発信側端末１Ａと着信側端末１Ｂとの間の処理のシーケンスの一例を示す図である。図１２に示される例では、発信側端末１Ａについての前提は、図７に示される例と同様である。一方、着信側端末１Ｂについては、ＬＴＥの機能を有しておらず、ＬＴＥをＲＡＴとして選択できないこととする。なお、着信側端末１Ｂは、３Ｇに在圏しているとする。また、発信側端末１Ａ及び着信側端末１Ｂは、３Ｇの電波を検知しており、ＳＭＳメッセージの送受信ができる状態であるとする。以下では、着信側端末１Ｂが発信側端末１Ａの在圏ＲＡＴに切り替えられない場合についての、発信側端末１Ａと着信側端末１Ｂとの間で通信が確立するまでの処理シーケンスについて説明する。
【００９２】
ＯＰ２１−ＯＰ２３の処理は、図１１のＯＰ１１−ＯＰ１３の処理と同様であるため、説明を省略する。
【００９３】
ＯＰ２４では、着信側端末１Ｂは、発信側端末１ＡからＲＡＴ切替要求用のＳＭＳメッセージを受信し（図１０、Ｓ３１：ＹＥＳ）、着信側端末１ＢはＬＴＥの機能を有していないため、ＬＴＥへの在圏ＲＡＴの切替不可と判定される（図１０、Ｓ３２：ＮＯ）。
【００９４】
ＯＰ２５では、着信側端末１Ｂは、発信側端末１Ａの在圏ＲＡＴ（ＬＴＥ）への在圏ＲＡＴの切替処理の結果を通知する切替応答用のＳＭＳメッセージを作成する（図１０、Ｓ３５）。ＬＴＥへの在圏ＲＡＴの切替不可であるので、切替応答用のＳＭＳメッセージには、切替結果情報に１（失敗）、ＲＡＴ情報に１（３Ｇ）が設定される。ＯＰ２６では、着信側端末１Ｂは、発信側端末１Ａに切替応答用のＳＭＳメッセージを送信する（図１０、Ｓ３６）。
【００９５】
ＯＰ２７では、発信側端末１Ａは、切替応答用のＳＭＳメッセージを受信し（図９、Ｓ２４：ＹＥＳ）、着信側端末１ＢがＬＴＥへ在圏ＲＡＴの切替に失敗したので（図９、Ｓ２５：ＮＯ）、在圏ＲＡＴを３Ｇに切り替える（Ｓ２６：ＹＥＳ、Ｓ２７、Ｓ２８）。ここで、発信側端末１Ａは、３Ｇの機能を有しており、３Ｇの電波を検知しているとすると、発信側端末１Ａによる３Ｇへの在圏ＲＡＴの切替は成功する（図９、Ｓ２８）。ＯＰ２８では、発信側端末１Ａは、着信側端末１Ｂに対して、３Ｇを通じて発信要求を送信する（図９、Ｓ２９）。
【００９６】
ＯＰ２９では、着信側端末１Ｂが、発信側端末１Ａからの着信要求を３Ｇ経由で受信し、着信処理を行う。着信処理が完了すると、発信側端末１Ａと着信側端末１Ｂとの間の通信が確立し、発信側端末１Ａと着信側端末１Ｂとは、同じＲＡＴ（３Ｇ）を用いて通信を行うことができる。
【００９７】
（第２実施形態の作用効果）
第２実施形態では、着信側端末１Ｂが、ＲＡＴ切替要求用のＳＭＳメッセージによって通知された発信側端末１Ａの在圏ＲＡＴへの切替処理の結果を、発信側端末１Ａに通知する。図１１で説明されたように、着信側端末１Ｂが発信側端末１Ａの在圏ＲＡＴに切替可能な場合には、着信側端末１Ｂが、在圏ＲＡＴを、発信側端末１Ａの在圏ＲＡＴに切り替える。また、発信側端末１Ａは、この切替結果の通知を受信してから着信側端末１Ｂに対する発信要求を送信する。これによって、より確実に、発信側端末１Ａと着信側端末１ＢとのＲＡＴを一致させることができる。
【００９８】
また、図１２で説明されたように、着信側端末１Ｂが発信側端末１Ａの在圏ＲＡＴに切替できない場合には、発信側端末１Ａは、切替結果の通知を受信してから、在圏ＲＡＴを着信側端末１Ｂの在圏ＲＡＴに切り替え、着信側端末１Ｂに対する発信要求を送信する。したがって、第２実施形態によれば、着信側端末１Ｂが発信側端末１Ａの在圏ＲＡＴに切替できない場合にも、発信側端末１Ａと着信側端末１ＢとのＲＡＴを一致させることができる。
【００９９】
＜第３実施形態＞
第３実施形態では、着信側端末１Ｂにおいて、在圏ＲＡＴの切替処理の前に、在園ＲＡＴ切替の可否がユーザに確認され、ユーザによって在圏ＲＡＴの切替が許可された場合に在圏ＲＡＴの切替を行う。第３実施形態では、第１実施形態及び第２実施形態と重複する説明は省略される。
【０１００】
第３実施形態においても、移動端末１のハードウェア構成及び機能構成は、図２，図３に示される通りである。第３実施形態では第２実施形態で説明された処理に加えて、ＲＡＴ切替制御部１３とユーザインタフェース処理部１１とが以下の処理を行う。
【０１０１】
着信側端末１ＢのＲＡＴ切替制御部１３は、発信側端末１ＡからのＲＡＴ切替要求を受信した場合に、ユーザに対してＲＡＴ切替の可否の問い合わせの要否を判定する。例えば、ＲＡＴ切替制御部１３は、以下の条件が全て満たされる場合に、ユーザに対するＲＡＴ切替の問い合わせの実行を判定する。ＲＡＴ切替問合せの実行条件は、例えば、（１）着信側端末１Ｂが発信側端末１Ａの在圏ＲＡＴの機能を備えている、（２）着信側端末１Ｂの在圏ＲＡＴが発信側端末１Ａの在圏ＲＡＴと異なる、（３）在圏ＲＡＴがいずれか１つのＲＡＴに固定に設定されている、である。これらの条件のいずれか１つでも満たされない場合には、ＲＡＴ切替問合せは実行されない。ユーザに対するＲＡＴ切替の可否の問い合わせの実行を判定した場合には、ＲＡＴ切替制御部１３は、ユーザインタフェース処理部１１に、ＲＡＴ切替問い合わせ要求を送信する。
【０１０２】
ユーザインタフェース処理部１１は、ＲＡＴ切替制御部１３からＲＡＴ切替問い合わせ要求を受信すると、ＲＡＴ切替問合せ画面をＬＣＤ  １０６に出力させる。ＲＡＴ切替問合せ画面は、ＲＡＴ切替の可否をユーザに選択させるための画面であって、ＲＯＭ／ＲＡＭ  １０７に格納されている。ユーザインタフェース処理部１１は、ユーザからのＲＡＴ切替問合せ画面に対するタッチパネル１０５の操作入力を受け付け、ユーザによって選択されたＲＡＴ切替の可否をＲＡＴ切替制御部１３に通知する。
【０１０３】
ＲＡＴ切替制御部１３は、ユーザによってＲＡＴ切替の拒否が選択された場合には、在
圏ＲＡＴの切替処理を実行しないことを判定する。
【０１０４】
図１３は、ＲＡＴ切替問合せ画面の一例である。ＲＡＴ問合せ画面は、着信側端末１Ｂにおいて、発信側端末１ＡからＲＡＴ切替要求用のＳＭＳ受信メッセージが受信され、例えば、上述の所定の条件に合致した場合に、ＬＣＤ  １０６に表示される。
【０１０５】
ＲＡＴ問合せ画面には、発信側端末１Ａから在圏ＲＡＴの切替が要求されていることを通知するためのメッセージと、在圏ＲＡＴ切替の可否を選択するためのボタンが含まれる。例えば、図１３に示される例では、「○○○（電話番号）から在圏ネットワークの切替要求が来ています。在圏ネットワークをＬＴＥに切り替えますか？」というメッセージと、ＯＫ、ＮＧの在圏ＲＡＴ切替の可否を選択するためボタンを含むブロックがポップアップ表示されている。ＯＫのボタンに対して押下操作が行われた場合には、在圏ＲＡＴの切替許可が入力される。ＮＧのボタンに対して押下操作が行われた場合には、在圏ＲＡＴの切替拒否が入力される。
【０１０６】
図１４は、第３実施形態における着信側端末１Ｂの処理のフローチャートの一例である。図１４に示されるフローチャートは、例えば、アプリケーション制御部１０のＣＰＵ  １０１が、ＳＭＳメッセージの受信を検知した場合に、通信プログラムを起動し、実行することによって行われる処理である。
【０１０７】
Ｓ４１では、第１実施形態の図６のＳ１１と同様に、アプリケーション通信部１０の呼制御部１２は、受信したＳＭＳメッセージがＲＡＴ切替要求用のＳＭＳメッセージであるか否かを判定する。ＳＭＳメッセージがＲＡＴ切替要求用のＳＭＳメッセージである場合には（Ｓ４１：ＹＥＳ）、処理がＳ４２に進む。ＳＭＳメッセージがＲＡＴ切替要求用のメッセージではない場合には（Ｓ４１：ＮＯ）、図１０に示される処理が終了し、着信側端末１Ｂは在圏ＲＡＴの切り替えを行わずに現在の在圏ＲＡＴで着信要求を待ち受ける。
【０１０８】
Ｓ４２では、ＲＡＴ切替制御部１３は、ユーザに対するＲＡＴ切替問合わせの要否を判定する。この判定は、例えば、（１）着信側端末１Ｂが発信側端末１Ａの在圏ＲＡＴの機能を備えている、（２）着信側端末１Ｂの在圏ＲＡＴが発信側端末１Ａの在圏ＲＡＴと異なる、（３）在圏ＲＡＴがいずれか１つのＲＡＴに固定に設定されている、ことを全て満たすか否かによって行われる。ユーザに対するＲＡＴ切替問合せの実行が判定された場合には（Ｓ４２：ＹＥＳ）、処理がＳ４３に進む。ユーザに対するＲＡＴ切替問合せの実行が判定されない場合には（Ｓ４２：ＮＯ）、処理がＳ４５に進む。
【０１０９】
Ｓ４３では、ＲＡＴ切替制御部１３は、ユーザインタフェース処理部１１に対してＲＡＴ切替問い合わせ要求を送信し、ユーザインタフェース処理部１１は、ＲＡＴ切替問合せ画面をＬＣＤ  １０６に出力する。これによって、ＲＡＴ切替問合せ画面が表示される。
【０１１０】
Ｓ４４では、ＲＡＴ切替制御部１３が、ユーザからのＲＡＴ切替の許可の入力を検出した場合には（Ｓ４４：ＹＥＳ）、処理がＳ４５に進む。ＲＡＴ切替制御部１３が、ユーザからのＲＡＴ切替の拒否の入力を検出した場合には（Ｓ４４：ＮＯ）、在圏ＲＡＴの切替処理は実行されず、Ｓ４８に処理が進む。
【０１１１】
Ｓ４５では、ＲＡＴ切替制御部１３は、ＲＡＴ切替要求用のＳＭＳメッセージによって通知された発信側端末１Ａの在圏ＲＡＴに切替可能か否かを判定する。発信側端末１Ａの在圏ＲＡＴへの切替可能な場合には（Ｓ４５：ＹＥＳ）、処理がＳ４６に進む。例えば、以下の条件全てが満たされる場合に、ＲＡＴ切替制御部１３は、指定されたＲＡＴへの切替可能を判定する。条件は、（１）指定されたＲＡＴに対応する処理部が無線部２０３に備えられている、（２）指定されたＲＡＴの電波が検出されている、（３）指定されたＲ
ＡＴへの切替がユーザによって許可されている、（４）指定されたＲＡＴと着信側端末１Ｂの在圏ＲＡＴとが異なる、である。なお、（３）指定されたＲＡＴへの切替がユーザによって許可されている、には、Ｓ４４においてユーザからＲＡＴ切替許可が入力されたことも含まれる。
【０１１２】
発信側端末１Ａの在圏ＲＡＴへの切替が不可能な場合には（Ｓ４５：ＮＯ）、処理がＳ４８に進む。例えば、（１）指定されたＲＡＴに対応する処理部が無線部２０３に備えられていない、（２）指定されたＲＡＴの電波が検出されてない、（３）指定されたＲＡＴへの切替がユーザ設定によって禁止されている、（４）指定されたＲＡＴと着信側端末１Ｂの在圏ＲＡＴとが同じである場合には、ＲＡＴ切替制御部１３は、発信側端末１Ａへの切替不可を判定する。
【０１１３】
Ｓ４６からＳ４９の処理は、第２実施形態の図１０のＳ３３−Ｓ３６と同様である。なお、Ｓ４４においてユーザからＲＡＴ切替拒否が入力された場合には（Ｓ４４：ＮＯ）、発信側端末１Ａの在圏ＲＡＴへの切替失敗として、ＳＭＳメッセージが作成される。その後、図１４に示される処理が終了し、着信側端末１Ｂは在圏ＲＡＴで着信要求を待ち受ける。
【０１１４】
＜第３実施形態の作用効果＞
第３実施形態では、着信側端末１Ｂでは、在圏ＲＡＴの切替処理の前に、在園ＲＡＴ切替の可否がユーザに確認される。これによって、例えば、着信側端末１Ｂは、在圏ＲＡＴがいずれかのＲＡＴに固定に設定されている場合でも、ユーザの許可のもと、在圏ＲＡＴを切り替えることができる。
【０１１５】
なお、ＲＡＴ切替問合せの実行条件は上述のものに限られず、システムの運用に応じて適宜設定される。例えば、着信側端末１Ｂにおける在圏ＲＡＴの固定のユーザ設定の有無にかかわらず、ＲＡＴ切替要求用のＳＭＳメッセージの受信によって在圏ＲＡＴの切替処理が行われる度に、ユーザに対してＲＡＴ切替の可否の問合せが行われてもよい。
【０１１６】
＜その他＞
第１−第３実施形態では、通信確立前の発信側端末１Ａと着信側端末１Ｂとの間の情報交換に、ＳＭＳメッセージが用いられていたが、これに限られない。例えば、通信相手の移動端末１に制御メッセージが送信できるプロトコルであればいずれであっても、通信確立前の発信側端末１Ａと着信側端末１Ｂとの間の情報交換に用いることが可能である。
【０１１７】
また、第１実施形態―第３実施形態では、発信側端末１Ａの在圏ＲＡＴと、発信側端末１Ａが着信側端末１Ｂに在圏ＲＡＴを通知するために利用するＲＡＴと、は、同じ無線アクセスネットワークであるとして、説明された。着信側端末１Ｂについても、在圏ＲＡＴと、発信側端末１Ａから在圏ＲＡＴの通知を受信するために利用するＲＡＴと、は、同じ無線アクセスネットワークであるとして、説明された。これに限られず、発信側端末１Ａの在圏ＲＡＴと、発信側端末１Ａが着信側端末１Ｂに在圏ＲＡＴを通知するために利用するＲＡＴと、は、異なる無線アクセスネットワークであってもよい。着信側端末１Ｂについても、在圏ＲＡＴと、発信側端末１Ａから在圏ＲＡＴの通知を受信するために利用するＲＡＴと、は、異なる無線アクセスネットワークであってもよい。
【０１１８】
また、第１−第３実施形態では、ＲＡＴとして、ＬＴＥ，３Ｇ，２Ｇを例に取り上げたが、第１−第３実施形態の適用対象となるＲＡＴは、これらに限られず、Ｗｉ−Ｆｉ，無線ＬＡＮ，将来登場するＲＡＴのいずれもが第１−第３実施形態の適用対象となる。
【符号の説明】
【０１１９】
１      移動端末
１０    アプリケーション制御部
１１    ユーザインタフェース処理部
１２    呼制御部
１３    ＲＡＴ切替制御部
１４    メッセージ送受信部
２０    通信制御部
２１    メッセージ送受信部
２２    呼制御部
２３    無線ネットワーク制御部
２４    無線通信処理部
【図１】
2014183377.tif 000003
【図２】
2014183377.tif 000004
【図３】
2014183377.tif 000005
【図４】
2014183377.tif 000006
【図５】
2014183377.tif 000007
【図６】
2014183377.tif 000008
【図７】
2014183377.tif 000009
【図８】
2014183377.tif 000010
【図９】
2014183377.tif 000011
【図１０】
2014183377.tif 000012
【図１１】
2014183377.tif 000013
【図１２】
2014183377.tif 000014
【図１３】
2014183377.tif 000015
【図１４】
2014183377.tif 000016